(57)【要約】【課題】種々の干渉電波を確実に検出することが出来ると共に、最適な通信状態の確立が可能である電波検出システムを得る。【解決手段】受信信号を増幅するＲＦ増幅器、受信信号を中間周波数帯の受信信号に変換するミキサ、周波数を変化して信号を発振する局部発振器、通過する受信信号の帯域幅を変えられる帯域通過フィルタ、および、受信信号をデジタルの受信強度信号に変換するＡ／Ｄ変換回路を有する検出部を備え、異なる帯域幅の複数の帯域内または異なる周波数偏移分で離散する帯域内を周波数が走査する信号を発振するように局部発振器を制御するとともに、異なる帯域幅の複数の帯域または異なる周波数偏移分で離散する帯域内の受信信号を通過させるように帯域通過フィルタを制御し、且つ帯域毎の受信強度信号を出力する処理部と、処理部から受信した帯域毎の受信強度信号から通信に最適な帯域を選定する通信部と、を備える。【選択図】図１
2011249921.tif 000002
【特許請求の範囲】
【請求項１】
アンテナからの受信信号を増幅するＲＦ増幅器、上記ＲＦ増幅器で増幅された受信信号を中間周波数帯の受信信号に変換するミキサ、周波数を変化して信号を発振する局部発振器、通過する受信信号の帯域幅を変えられる帯域通過フィルタ、および、上記帯域通過フィルタを通過した受信信号をデジタルの受信強度信号に変換するＡ／Ｄ変換回路を有する検出部を備える電波検出システムにおいて、
異なる帯域幅の複数の帯域内または異なる周波数偏移分で離散する帯域内を周波数が走査する信号を発振するように上記局部発振器を制御するとともに、上記異なる帯域幅の複数の帯域または上記異なる周波数偏移分で離散する帯域内の受信信号を通過させるように上記帯域通過フィルタを制御し、且つ上記帯域毎の受信強度信号を出力する処理部と、
上記処理部から受信した上記帯域毎の受信強度信号から通信に最適な帯域を選定する通信部と、
を備えることを特徴とする電波検出システム。
【請求項２】
上記通信部は、無線ＬＡＮの通信を行うときの最適な帯域を選定することを特徴とする請求項１に記載の電波検出システム。
【請求項３】
上記処理部は、少なくとも、
１回の計測周期毎に、電波強度を検出しようとする予め定められた周波数帯域を予め定められた第１帯域幅で分割して得た複数の帯域で周波数を走査して電波強度を計測するステップと、
上記第１帯域幅と異なる第２帯域幅で分割して得た複数の帯域で周波数を走査して電波強度を検出するステップと、
上記周波数帯域内で第１周波数偏移分離散した複数の帯域で周波数を走査して電波強度を検出するステップと、
上記周波数帯域内で第１周波数偏移分と異なる第２周波数偏移分離散した複数の帯域で周波数を走査して電波強度を検出するステップと、
当該計測周期で検出された電波強度を含む複数の計測周期で検出された電波強度から最大の電波強度を帯域毎に算出するステップと、
を実行することを特徴とする請求項１または２に記載の電波検出システム。
【請求項４】
上記処理部は、
複数の計測周期で検出した電波強度から予め設定した周期以上の間同じ帯域が予め設定した強度以上の電波強度の場合には指定した周期の間は当該帯域での計測を行わないステップを実行することを特徴とする請求項１または２に記載の電波検出システム。
【請求項５】
電波強度の計測を行う際に検出を想定する通信方式のバースト波に合わせた受信帯域と強度計測時間とが設定された複数の計測モードを有することを特徴とする請求項１乃至４のいずれかに記載の電波検出システム。
【発明の詳細な説明】
【技術分野】
【０００１】
この発明は、通信システムにおける電波検出および検出した電波による通信周波数の最適化に関するものである。
【背景技術】
【０００２】
無線ＬＡＮの通信システムで、干渉電波を検出し良好な通信状態を確立するために、複数のチャンネルの干渉電波の強度を計測し最もＳ／Ｎ比の高いチャンネルを選択する（例えば、特許文献１または２参照）。
【先行技術文献】
【特許文献】
【０００３】
【特許文献１】特開２００３−２４４７６１号公報
【特許文献２】特開２００４−２０７９８６号公報
【発明の概要】
【発明が解決しようとする課題】
【０００４】
しかし、従来の電波検出システムでは使用するチャンネルの帯域幅に合わせた帯域で電波検出を行っているため、変調方式や帯域が異なる通信方式の電波を確実に検出できないことがあった。
【０００５】
この発明は、前記のような課題を解決するためになされたものであり、種々の干渉電波を確実に検出することが出来ると共に、最適な通信状態の確立が可能である電波検出システムを得ることを目的とする。
【課題を解決するための手段】
【０００６】
この発明に係るこの発明に係る電波検出システムは、アンテナからの受信信号を増幅するＲＦ増幅器、上記ＲＦ増幅器で増幅された受信信号を中間周波数帯の受信信号に変換するミキサ、周波数を変化して信号を発振する局部発振器、通過する受信信号の帯域幅を変えられる帯域通過フィルタ、および、上記帯域通過フィルタを通過した受信信号をデジタルの受信強度信号に変換するＡ／Ｄ変換回路を有する検出部を備える電波検出システムにおいて、異なる帯域幅の複数の帯域内または異なる周波数偏移分で離散する帯域内を周波数が走査する信号を発振するように上記局部発振器を制御するとともに、上記異なる帯域幅の複数の帯域または上記異なる周波数偏移分で離散する帯域内の受信信号を通過させるように上記帯域通過フィルタを制御し、且つ上記帯域毎の受信強度信号を出力する処理部と、上記処理部から受信した上記帯域毎の受信強度信号から通信に最適な帯域を選定する通信部と、を備える。
【発明の効果】
【０００７】
この発明に係る電波検出システムは、複数の帯域と最適化した周波数走査による電波検出により使用する帯域内の干渉電波を確実に検出することが可能であり、最適な通信帯域を選択し、良好な通信状態を確保することが出来る。
【図面の簡単な説明】
【０００８】
【図１】この発明の実施の形態１に係る電波検出システムのブロック図である。
【図２】この発明の実施の形態１に係る処理部が生成する複数の走査パターンで周波数を走査して電波強度を検出する概念図である。
【図３】この発明の実施の形態１に係る処理部で実行される帯域毎の電波強度の最大値を求める動作を示すフローチャートである。
【図４】処理部が生成する別の複数の走査パターンで周波数を走査して電波強度を検出する概念図である。
【図５】この発明の実施の形態２に係る処理部で実行される帯域毎の電波強度の最大値を求める前半の動作を示すフローチャートである。
【図６】この発明の実施の形態２に係る処理部で実行される帯域毎の電波強度の最大値を求める後半の動作を示すフローチャートである。
【発明を実施するための形態】
【０００９】
以下、本発明の電波検出システムの好適な実施の形態につき図面を用いて説明する。
実施の形態１．
図１は、この発明の実施の形態１に係る電波検出システムのブロック図である。
この発明の実施の形態１に係る電波検出システムは、図１に示すように、アンテナ１から入力される受信信号から受信強度信号２１０を求め出力する検出部１０と、検出部１０から入力される受信強度信号２１０を処理して周波数制御信号２２０、帯域幅制御信号２３０、帯域毎受信強度信号２４０を出力する処理部２０と、処理部２０から入力された帯域毎受信強度信号２４０から通信に最適な帯域を選定する通信部３０と、を備えている。
【００１０】
検出部１０は、アンテナ１から入力される受信信号を増幅するＲＦ増幅器１１０と、受信信号を中間周波数帯の受信信号に変換するミキサ１２０と、処理部２０からの制御により発振周波数を変化させる局部発振器１３０と、処理部２０からの制御により中間周波数帯の受信信号の周波数の幅（以下、帯域幅と称す）を変化させる帯域通過フィルタ１４０と、帯域通過フィルタ１４０を通過した受信信号をデジタル変換するＡ／Ｄ変換回路１５０と、を有する。
【００１１】
次に、この発明の実施の形態１に係る電波検出システムの動作について説明する。
ＲＦ増幅器１１０は、アンテナ１からの受信信号を検出に必要なレベルまで増幅しミキサ１２０へ出力する。
ミキサ１２０は、ＲＦ増幅器１１０からの受信信号を局部発振器１３０からの信号により中間周波数帯の受信信号に変換し帯域通過フィルタ１４０に出力する。
帯域通過フィルタ１４０は、中間周波数帯の信号に変換された受信信号を処理部２０からの帯域幅制御信号２３０に基づいて帯域を制限した後にＡ／Ｄ変換回路１５０へ出力される。
Ａ／Ｄ変換回路１５０は、帯域制限された受信信号をデジタル変換した受信強度信号２１０を処理部２０へ出力する。
【００１２】
処理部２０は、予め設定された周波数帯域の周波数の下限値から上限値まで電波強度を順次検出するために、周波数制御信号２２０を局部発振器１３０へ出力する。
また、受信強度信号２１０の帯域幅を指定するための帯域幅制御信号２３０を帯域通過フィルタ１４０へ出力することにより、設定された帯域での受信強度信号を得ることが出来る。なお、電波強度を検出するときに走査される帯域幅を切替えつつ周波数走査する際の周波数変化ステップを変化させることにより複数の走査パターンを設けることが出来る。上記の処理により得られた検出周波数範囲内の各周波数の帯域毎受信強度信号２４０は通信部３０へ出力される。
【００１３】
通信部３０は、無線ＬＡＮ等の無線通信を行う通信部であり、処理部２０から受信した帯域毎受信強度信号２４０を元に設定された検出する周波数帯域内での干渉電波が無い帯域を選定することで通信に用いる周波数を変更する。このとき、処理部２０から受信した帯域毎受信強度信号２４０のうち電波検出時の複数の帯域と複数の周波数ステップによる複数の走査パターンによる電波強度の検出結果を統合し各周波数帯域の電波強度を判定する。
【００１４】
図２は、処理部２０が生成する複数の走査パターンで周波数を走査して電波強度を検出する概念図である。
電波強度の計測を行う際に検出を想定する通信方式のバースト波に合わせた受信帯域と強度計測時間とが設定された複数の計測モードを有する。
第１計測モードでは、所定の第１帯域幅Ｘ１を指定し、電波強度を検出する周波数帯域を第１帯域幅Ｘ１で複数の帯域に分割し、中心周波数の最も小さい帯域から順次中心周波数の最も大きい帯域の帯域を移しながら帯域内の周波数を変化させて電波強度を検出する。
第２計測モードでは、第１帯域幅Ｘ１と異なる所定の第２帯域幅Ｘ２を指定し、電波強度を検出する周波数帯域を第２帯域幅Ｘ２で複数の帯域に分割し、中心周波数の最も小さい帯域から順次中心周波数の最も大きい帯域の帯域を移しながら帯域内の周波数を変化させて電波強度を検出する。
第３計測モードでは、所定の第３帯域幅Ｘ３、想定する通信方法での最も小さい第１周波数Ｈ１、想定する通信方式の第１周波数偏移分Ｙ１を指定し、第１周波数Ｈ１を中心周波数とする第３帯域幅Ｘ３の帯域から中心周波数が第１周波数偏移分Ｙ１順次大きくし、最も中心周波数が大きな帯域まで移しながら帯域内の周波数を変化させて電波強度を検出する。
第４計測モードでは、所定の第４帯域幅Ｘ４、想定する通信方法での最も小さい第２周波数Ｈ２、想定する通信方式の第２周波数偏移分Ｙ２を指定し、第２周波数Ｈ２を中心周波数とする第４帯域幅Ｘ４の帯域から中心周波数を第２周波数偏移分Ｙ２順次大きくし、最も中心周波数が大きな帯域まで移しながら帯域内の周波数を変化させて電波強度を検出する。
【００１５】
この際、第１計測モードおよび第２計測モードでの電波強度の検出は想定する通信方式の変調内容に最適な帯域幅と検出時間を設定しておき、第３計測モードおよび第４計測モードでの電波強度の検出は想定する周波数を順次変化し通信する通信方式の変調内容と周波数を想定し検出に最適な帯域幅と検出時間および周波数を設定しておくことで複数の検出する周波数範囲の通信方式に対応する。
【００１６】
第１計測モードから第４計測モードの４種類の計測モードを設定する場合の電波強度検出の概念を示したが、検出する周波数帯域内で想定される通信方式が多い場合には更に計測するモードを追加することで多くの通信方式に対応可能となる。
【００１７】
図３は、処理部２０で実行される帯域毎の電波強度の最大値を求める動作を示すフローチャートである。
最初に、ステップ１０１において、電波を検出する周波数帯域を所定の第１帯域幅Ｘ１で分割して複数の帯域を生成し、帯域の中心周波数が最も小さい帯域の電波強度を計測する。
次に、ステップ１０２において、ステップ１０１でＡミリ秒間検出した電波強度の値を保存する。
次に、ステップ１０３において、帯域の中心周波数が次に大きい帯域の電波強度を計測する。
次に、ステップ１０４において、ステップ１０３でＡミリ秒間検出した電波強度の値を保存する。
【００１８】
ステップ１０５において、電波強度を計測した帯域の中心周波数が最も大きいか否かを判定し、電波強度を計測した帯域の中心周波数が最も大きくないときステップ１０３に戻り、電波強度を計測した帯域の中心周波数が最も大きいときステップ１０９に進む。
ステップ１０９において、電波を検出する周波数帯域を第１帯域幅Ｘ１で分割された複数の帯域での電波強度計測値を第１計測モードのデータとして保存し、次の計測モードの計測に移行する。
【００１９】
第１計測モードの終了後は第２計測モードに移行する。
ステップ２０１において、電波を検出する周波数帯域を所定の第２帯域幅Ｘ２で分割して複数の帯域を生成し、帯域の中心周波数が最も小さい帯域の電波強度を計測する。
次に、ステップ２０２において、ステップ２０１でＢミリ秒間検出した電波強度の値を保存する。
次に、ステップ２０３において、帯域の中心周波数が次に大きい帯域の電波強度を計測する。
次に、ステップ２０４において、ステップ２０３でＢミリ秒間検出した電波強度の値を保存する。
【００２０】
ステップ２０５において、電波強度を計測した帯域の中心周波数が最も大きいか否かを判定し、電波強度を計測した帯域の中心周波数が最も大きくないときステップ２０３に戻り、電波強度を計測した帯域の中心周波数が最も大きいときステップ２０９に進む。
ステップ２０９において、電波を検出する周波数帯域を第２帯域幅Ｘ２で分割された複数の帯域での電波強度計測値を第２計測モードのデータとして保存し、次の計測モードの計測に移行する。
【００２１】
第２計測モードでの計測の終了後は第３計測モードの計測に移行する。
ステップ３０１において、第１周波数Ｈ１を中心周波数の下限値とし、第１周波数Ｈ１に第１周波数偏移分Ｙ１を増分として複数の中心周波数を生成し、電波を検出する周波数帯域内の最も大きな中心周波数を中心周波数の上限値とし、中心周波数が下限値で第３帯域幅Ｘ３が帯域幅の帯域内で周波数を走査して電波強度を計測する。
次に、ステップ３０２において、ステップ３０１でＣミリ秒間検出した電波強度の値を保存する。
次に、ステップ３０３において、中心周波数を第１周波数偏移分Ｙ１大きくし、その中心周波数で帯域幅Ｘ３の帯域内で周波数を走査して電波強度を計測する。
次に、ステップ３０４において、ステップ３０３でＣミリ秒間検出した電波強度の値を保存する。
【００２２】
ステップ３０５において、ステップ３０３で電波強度を計測した帯域の中心周波数が中心周波数の上限値に達しているか否かを判定し、中心周波数が上限値に達してでないときステップ３０３に戻り、中心周波数が上限値に達しているときステップ３０９に進む。
ステップ３０９において、中心周波数が第１周波数偏移分Ｙ１異なる帯域幅Ｘ３の帯域での電波強度計測値を第３計測モードのデータとして保存し、次の計測モードの計測に移行する。
【００２３】
第３計測モードでの計測の終了後は第４計測モードでの計測に移行する。
まずは、ステップ４０１において、第２周波数Ｈ２を中心周波数の下限値とし、第２周波数Ｈ２に第２周波数偏移分Ｙ２を増分として複数の中心周波数を生成し、電波を検出する周波数帯域内の最も大きな中心周波数を中心周波数の上限値とし、中心周波数が下限値で第４帯域幅Ｘ４が帯域幅の帯域内で周波数を走査して電波強度を計測する。
次に、ステップ４０２において、ステップ４０１でＤミリ秒間検出した電波強度の値を保存する。
次に、ステップ４０３において、中心周波数を第２周波数偏移分Ｙ２大きくし、その中心周波数で帯域幅Ｘ４の帯域内で周波数を走査して電波強度を計測する。
次に、ステップ４０４において、ステップ４０３でＤミリ秒間検出した電波強度の値を保存する。
【００２４】
ステップ４０５において、ステップ４０３で電波強度を計測した帯域の中心周波数が中心周波数の上限値に達しているか否かを判定し、中心周波数が上限値に達してでないときステップ４０３に戻り、中心周波数が上限値に達しているときステップ４０９に進む。
ステップ４０９において、中心周波数が第２周波数偏移分Ｙ２異なる帯域幅Ｘ４の帯域での電波強度計測値を第４計測モードのデータとして保存する。
【００２５】
ステップ５０１において、過去のＺ周期の第１計測モードから第４計測モードの計測データのうち最も過去の計測データを削除し、残りの計測データを周期毎に１周期分過去のデータとして記録し現周期の計測データを追加する。これにより現周期の計測データを含み過去に遡るＺ周期分の第１計測モードから第４計測モードの計測データが保存される。
次に、ステップ５０２において、第１計測モードから第４計測モードの過去のＺ周期分のデータから、帯域毎の最大値及び平均値を算出する。
次に、ステップ５０３において、第１計測モードから第４計測モードの過去Ｚ周期分の帯域毎の最大値及び平均値を通信部３０へ出力する。
【００２６】
この発明の実施の形態１に係る電波検出システムは、使用する周波数帯域を異なる帯域幅でそれぞれ分割して複数の帯域内で走査された周波数や想定する複数の通信方式の周波数で電波強度がそれぞれ検出されるので、使用する周波数帯域内の干渉電波を確実に検出することができる。
また、干渉電波の周波数を含まない帯域を通信帯域と選択するので、良好な通信状態を確保することができる。
【００２７】
なお、第３計測モードと第４計測モードでは周波数下限値と周波数上限値の間にある検出しようとする周波数全てに対して１回の処理周期で電波強度を計測しているが、図４に示すように、処理周期毎に異なる１つの周波数に対して電波強度を計測しても良い。
【００２８】
実施の形態２．
この発明の実施の形態２に係る電波検出システムは、この発明の実施の形態１に係る電波検出システムと処理部が異なり、それ以外は同様であるので、同様な部分に同じ符号を付記し説明を省略する。
図５、６は、この発明の実施の形態２に係る処理部で実行される帯域毎の電波強度の最大値を求める動作を示すフローチャートである。
最初に、ステップ１０１において、電波を検出する周波数帯域を所定の第１帯域幅Ｘ１で分割して複数の帯域を生成し、帯域の中心周波数が最も小さい帯域の電波強度を計測する。
次に、ステップ１０２において、ステップ１０１でＡミリ秒間検出した電波強度の値を保存する。
次に、ステップ１０３において、帯域の中心周波数が次に大きい帯域の電波強度を計測する。
次に、ステップ１０４において、ステップ１０３でＡミリ秒間検出した電波強度の値を保存する。
【００２９】
ステップ１０５において、電波強度を計測した帯域の中心周波数が最も大きいか否かを判定し、電波強度を計測した帯域の中心周波数が最も大きくないときステップ１０６に進み、電波強度を計測した帯域の中心周波数が最も大きいときステップ１０９に進む。
ステップ１０６において、電波強度を計測した帯域は中心周波数が間欠計測周波数であり、且つ過去Ｌ周期連続して計測をスキップしたか判定し、過去Ｌ周期連続して計測をスキップしていた場合にはステップ１０３に戻り、計測のスキップの回数が過去Ｌ周期以下である場合にはステップ１０７に進む。
ステップ１０７において、当該周波数で過去Ｎ周期以上連続して計測値が強度値ＭｄＢｍ以上か否かを判定し、Ｎ周期以上連続して計測値が強度値ＭｄＢｍ以上の場合にはステップ１０８に進み、Ｎ周期以上連続して計測値が強度値ＭｄＢｍ未満の場合にはステップ１０３に戻る。
【００３０】
ステップ１０８において、その計測した帯域の中心周波数を間欠計測周波数として記録し、この周期の計測をスキップし、中心周波数を第１帯域幅Ｘ１分高い周波数に変更しステップ１０５に戻る。このステップ１０６からステップ１０８の処理により連続して所定の電波強度以上の電波強度が検出された周波数の計測はＬ周期分スキップされ他の周波数の計測を重点的に行うことになる。
ステップ１０９において、電波を検出する周波数帯域を第１帯域幅Ｘ１で分割された複数の帯域での電波強度計測値を第１計測モードのデータとして保存し、次の計測モードの計測に移行する。
【００３１】
第１計測モードの終了後は第２計測モードに移行する。
ステップ２０１において、電波を検出する周波数帯域を所定の第２帯域幅Ｘ２で分割して複数の帯域を生成し、帯域の中心周波数が最も小さい帯域の電波強度を計測する。
次に、ステップ２０２において、ステップ２０１でＢミリ秒間検出した電波強度の値を保存する。
次に、ステップ２０３において、帯域の中心周波数が次に大きい帯域の電波強度を計測する。
次に、ステップ２０４において、ステップ２０３でＢミリ秒間検出した電波強度の値を保存する。
【００３２】
ステップ２０５において、電波強度を計測した帯域の中心周波数が最も大きいか否かを判定し、電波強度を計測した帯域の中心周波数が最も大きくないときステップ２０６に戻り、電波強度を計測した帯域の中心周波数が最も大きいときステップ２０９に進む。
ステップ２０６において、電波強度を計測した帯域は中心周波数が間欠計測周波数であり、且つ過去Ｌ周期連続して計測をスキップしたか判定し、過去Ｌ周期連続して計測をスキップしていた場合にはステップ２０３に戻り、計測のスキップの回数が過去Ｌ周期以下である場合にはステップ２０７に進む。
ステップ２０７において、当該周波数で過去Ｎ周期以上連続して計測値が強度値ＭｄＢｍ以上か否かを判定し、Ｎ周期以上連続して計測値が強度値ＭｄＢｍ以上の場合にはステップ２０８に進み、Ｎ周期以上連続して計測値が強度値ＭｄＢｍ未満の場合にはステップ２０３に戻る。
【００３３】
ステップ２０８において、その計測した帯域の中心周波数を間欠計測周波数として記録し、この周期の計測をスキップし、中心周波数を第１帯域幅Ｘ２分高い周波数に変更しステップ２０５に戻る。このステップ２０６からステップ２０８の処理により連続して所定の電波強度以上の電波強度が検出された周波数の計測はＬ周期分スキップされ他の周波数の計測を重点的に行うことになる。
ステップ２０９において、電波を検出する周波数帯域を第２帯域幅Ｘ２で分割された複数の帯域での電波強度計測値を第２計測モードのデータとして保存し、次の計測モードの計測に移行する。
【００３４】
第２計測モードでの計測の終了後は第３計測モードの計測に移行する。
ステップ３０１において、第１周波数Ｈ１を中心周波数の下限値とし、第１周波数Ｈ１に第１周波数偏移分Ｙ１を増分として複数の中心周波数を生成し、電波を検出する周波数帯域内の最も大きな中心周波数を中心周波数の上限値とし、中心周波数が下限値で第３帯域幅Ｘ３が帯域幅の帯域内で周波数を走査して電波強度を計測する。
次に、ステップ３０２において、ステップ３０１でＣミリ秒間検出した電波強度の値を保存する。
次に、ステップ３０３において、中心周波数を第１周波数偏移分Ｙ１大きくし、その中心周波数で帯域幅Ｘ３の帯域内で周波数を走査して電波強度を計測する。
次に、ステップ３０４において、ステップ３０３でＣミリ秒間検出した電波強度の値を保存する。
【００３５】
ステップ３０５において、ステップ３０３で電波強度を計測した帯域の中心周波数が中心周波数の上限値に達しているか否かを判定し、中心周波数が上限値に達してでないときステップ３０６に進み、中心周波数が上限値に達しているときステップ３０９に進む。
ステップ３０６において、電波強度を計測した帯域は中心周波数が間欠計測周波数であり、且つ過去Ｌ周期連続して計測をスキップしたか判定し、過去Ｌ周期連続して計測をスキップしていた場合にはステップ３０３に戻り、計測のスキップの回数が過去Ｌ周期以下である場合にはステップ３０７に進む。
ステップ３０７において、当該周波数で過去Ｎ周期以上連続して計測値が強度値ＭｄＢｍ以上か否かを判定し、Ｎ周期以上連続して計測値が強度値ＭｄＢｍ以上の場合にはステップ３０８に進み、Ｎ周期以上連続して計測値が強度値ＭｄＢｍ未満の場合にはステップ３０３に戻る。
【００３６】
ステップ３０８において、その計測した帯域の中心周波数を間欠計測周波数として記録し、この周期の計測をスキップし、中心周波数を第１周波数偏移分Ｙ１大きい中心周波数に変更しステップ３０５に戻る。このステップ３０６からステップ３０８の処理により連続して所定の電波強度以上の電波強度が検出された周波数の計測はＬ周期分スキップされ他の周波数の計測を重点的に行うことになる。
ステップ３０９において、中心周波数が第１周波数偏移分Ｙ１異なる帯域幅Ｘ３の帯域での電波強度計測値を第３計測モードのデータとして保存し、次の計測モードの計測に移行する。
【００３７】
第３計測モードでの計測の終了後は第４計測モードでの計測に移行する。
まずは、ステップ４０１において、第２周波数Ｈ２を中心周波数の下限値とし、第２周波数Ｈ２に第２周波数偏移分Ｙ２を増分として複数の中心周波数を生成し、電波を検出する周波数帯域内の最も大きな中心周波数を中心周波数の上限値とし、中心周波数が下限値で第４帯域幅Ｘ４が帯域幅の帯域内で周波数を走査して電波強度を計測する。
次に、ステップ４０２において、ステップ４０１でＤミリ秒間検出した電波強度の値を保存する。
次に、ステップ４０３において、中心周波数を第２周波数偏移分Ｙ２大きくし、その中心周波数で帯域幅Ｘ４の帯域内で周波数を走査して電波強度を計測する。
次に、ステップ４０４において、ステップ４０３でＤミリ秒間検出した電波強度の値を保存する。
【００３８】
ステップ４０５において、ステップ４０３で電波強度を計測した帯域の中心周波数が中心周波数の上限値に達しているか否かを判定し、中心周波数が上限値に達してでないときステップ４０６に進み、中心周波数が上限値に達しているときステップ４０９に進む。
ステップ４０６において、電波強度を計測した帯域は中心周波数が間欠計測周波数であり、且つ過去Ｌ周期連続して計測をスキップしたか判定し、過去Ｌ周期連続して計測をスキップしていた場合にはステップ４０３に戻り、計測のスキップの回数が過去Ｌ周期以下である場合にはステップ４０７に進む。
ステップ４０７において、当該周波数で過去Ｎ周期以上連続して計測値が強度値ＭｄＢｍ以上か否かを判定し、Ｎ周期以上連続して計測値が強度値ＭｄＢｍ以上の場合にはステップ４０８に進み、Ｎ周期以上連続して計測値が強度値ＭｄＢｍ未満の場合にはステップ４０３に戻る。
【００３９】
ステップ４０８において、その計測した帯域の中心周波数を間欠計測周波数として記録し、この周期の計測をスキップし、中心周波数を第２周波数偏移分Ｙ２だけ大きい中心周波数に変更しステップ４０５に戻る。このステップ４０６からステップ４０８の処理により連続して所定の電波強度以上の電波強度が検出された周波数の計測はＬ周期分スキップされ他の周波数の計測を重点的に行うことになる。
ステップ４０９において、中心周波数が第２周波数偏移分Ｙ２異なる帯域幅Ｘ４の帯域での電波強度計測値を第４計測モードのデータとして保存する。
【００４０】
ステップ５０１において、過去のＺ周期の第１計測モードから第４計測モードの計測データのうち最も過去の計測データを削除し、残りの計測データを周期毎に１周期分過去のデータとして記録し直し、現周期の計測データを追加する。これにより現周期の計測データを含み過去に遡るＺ周期分の第１計測モードから第４計測モードの計測データが保存される。
次に、ステップ５０２において、第１計測モードから第４計測モードの過去のＺ周期分のデータから、帯域毎の最大値及び平均値を算出する。
次に、ステップ５０３において、第１計測モードから第４計測モードの過去Ｚ周期分の帯域毎の最大値及び平均値を通信部３０へ出力する。
【００４１】
この発明の実施の形態２に係る電波検出システムは、設定した周期以上の間同じ周波数帯域があらかじめ設定された強度以上の電波強度の場合には指定した周期の間は当該周期の計測を行わずにスキップするので、効率的に電波強度を検出することができる。
【符号の説明】
【００４２】
１  アンテナ、１０  検出部、２０  処理部、３０  通信部、１１０  ＲＦ増幅器、１２０  ミキサ、１３０  局部発振器、１４０  帯域通過フィルタ、１５０  Ａ／Ｄ変換回路、２１０  受信強度信号、２２０  周波数制御信号、２３０  帯域幅制御信号、２４０  帯域毎受信強度信号。
【図１】
2011249921.tif 000003
【図２】
2011249921.tif 000004
【図３】
2011249921.tif 000005
【図４】
2011249921.tif 000006
【図５】
2011249921.tif 000007
【図６】
2011249921.tif 000008